(57)【特許請求の範囲】
【請求項１】
ホイールにタイヤ本体を装着したタイヤにおいて、
前記ホイールの一方の側に取り付けた支持板と、該支持板からタイヤ本体の側面に沿って回動かつ首振り自在に立ち上げ、上端をタイヤ本体の上面に沿って折り曲げたスタッドアームと、該スタッドアームの折り曲げ部分の上面に設けた複数のスタッドとを備えたスタッド部材と、
前記ホイールの他方の側に取り付けた支持板と、該支持板からタイヤ本体の側面に沿って立ち上げるとともに、前記スタッド部材の端部を保持する保持部材とを備えており、
常態においては前記スタッドアームをタイヤ本体の側面に沿った位置に回動し、かつスタッドアームを首振りさせてタイヤ本体の外形よりも内側に折り畳んだ状態としてあり、
雪道等において使用する際には、前記スタッドアームを首振りさせてタイヤ本体の外周上に位置するように立ち上げ、かつタイヤ本体の上面に沿った位置に回動させた上、スタッドアームの端部を保持部材の端部に連結してスタッド部材の複数のスタッドがタイヤ本体の上面を横断するように配置することを可能としたことを特徴とするタイヤのスパイク保持具。
【請求項２】
前記スタッドアームをタイヤ本体の側面に沿って立ち上げて回動かつ首振り自在とする手段は、スタッドアームを軸受を介して回動可能に保持する縦軸部分と、該縦軸部分を首振り可能に支持板に保持する横軸部分とからなることを特徴とする請求項１記載のタイヤのスパイク保持具。
【請求項３】
前記スタッド部材の端部を保持する保持部材は、該保持部材の端部に設けた挿通ピンを、前記スタッド部材の先端に設けた挿通孔にはめ込み、かつ挿通ピンと挿通孔との係合が解かれるのを防止するロック手段を設けたことを特徴とする請求項１または２記載のタイヤのスパイク保持具。
【請求項４】
前記挿通ピンと挿通孔との係合が解かれるのを防止するロック手段は、前記挿通ピンと挿通孔との間に介在させた磁石からなることを特徴とする請求項３記載のタイヤのスパイク保持具。
【請求項５】
前記スタッド部材および保持部材は、前記支持板に緩衝部材を介在させた上で連結してあることを特徴とする請求項１ないし４のいずれかに記載のタイヤのスパイク保持具。
【請求項６】
前記常態においてタイヤ本体の側面に沿った位置に回動し、かつ首振りさせてタイヤ本体の外形よりも内側に折り畳んだ状態としたスタッドアームは、前記ホイールに設けたリング状ハンガーに取り付けた係合ピンに前記スタッド部材の先端に設けた挿通孔をはめ込んで係止するようにしたことを特徴とする請求項１ないし５のいずれかに記載のタイヤのスパイク保持具。
【発明の詳細な説明】
【技術分野】
【０００１】
本発明は、必要に応じてタイヤ本体上にセットすることができ、また不要の際にはタイヤ本体上から退避させてホイール部分側面に保持しておくことができるようにしたタイヤのスパイク保持具に関する。
【背景技術】
【０００２】
従来、ノーマルタイヤを装着した車両を運転して雪道走行をする際には、タイヤチェーンをノーマルタイヤに巻き付けなければならず、極めて煩雑であった。
また、スパイクタイヤを予め装着しておけば雪道走行は容易となるが、雪の無い舗装道路等を走行する際にスパイクによる粉塵が巻き上がり、環境衛生上好ましくないため最近ではスパイクタイヤの装着を禁止する傾向にある。
一方で凍結した路面等では、スパイクタイヤでないと安全に走行できないというのも現実である。
【０００３】
そのため、特開平７−３０４３１０号公報（特許文献１参照）には、ホイールに装着されるタイヤ本体と、タイヤ本体の側部に一体的に配置した側部タイヤ部とを備えたタイヤで、側部タイヤ部は、タイヤ本体の本体トレッドと同径で千鳥状配置にピン孔を全周に亘って形成した側部トレッドと、タイヤ本体の空気室の側部に位置する側部空気室と、側部トレッドの内部で側部空気室の外周に配置した千鳥状配置の突出ピンを突設した変位体と、側部トレッドの内周に沿って配置した千鳥状配置の長穴を全周に亘って設けたスライド帯体と、変位体とスライド帯体とに連結され側部空気室の空気圧の増減に応じた前記変位体の変位により前記スライド帯体をスライドさせるスライド用弾性体とを有するタイヤ及び補助タイヤが提案されている。
【０００４】
また、実用新案登録第３０８３０６６号公報（特許文献２参照）には、
（イ）ノーマルタイヤ、スタッドレスタイヤ、スノータイヤのいずれにも道路との接地面全体に等間隔に溝を設け、その溝の内側両面にスパイク金具４に付属したそでを挿入するための溝を施す。そしてスパイク金具４を装着した後、金具のそでにあけてある穴１１とタイヤの穴とに止め鋲を打ち込んで、スパイク金具を固定させ、スパイクタイヤとしての働きを可能にする。
（ロ）上記の各種タイヤに、タイヤの接地部分を繰り抜いた板状の金具を輪状にしてタイヤ全体にはめこみ、溝に相当する部分にスパイク金具４を装着させ、双方に止め鋲を打ち込んで固定させ、スパイクタイヤとしての働きを可能にする。
ことが提案されている。
【先行技術文献】
【特許文献】
【０００５】
【特許文献１】特開平７−３０４３１０号公報
【特許文献２】実用新案登録第３０８３０６６号公報
【発明の概要】
【発明が解決しようとする課題】
【０００６】
しかしながら、特開平７−３０４３１０号公報（特許文献１参照）においては、側部トレッドを空気圧によって出没させる側部タイヤ部を設けてあるため、空気圧の生成や制御のシステムが必要となって非常に高価な装置となる上、複雑で故障が発生しやすいという問題があった。
また、実用新案登録第３０８３０６６号公報（特許文献２参照）においは、ノーマルタイヤ、スタッドレスタイヤ、スノータイヤのいずれにも道路との接地面全体に等間隔に溝を設け、スパイク金具を装着して固定させ、スパイクタイヤとしての働きを可能にしたものであるが、ノーマルタイヤ、スタッドレスタイヤ、スノータイヤを溝付きの特殊な構造に改変する必要があって、実用には不向きであるという問題があった。
【０００７】
そこで本発明は、通常のノーマルタイヤに装着され、必要に応じてスパイクタイヤとしての機能を発揮させることができるタイヤのスパイク保持具を提供することを目的とするものである。
【課題を解決するための手段】
【０００８】
すなわち本発明のタイヤのスパイク保持具は、ホイールにタイヤ本体を装着したタイヤにおいて、
前記ホイールの一方の側に取り付けた支持板と、該支持板からタイヤ本体の側面に沿って回動かつ首振り自在に立ち上げ、上端をタイヤ本体の上面に沿って折り曲げたスタッドアームと、該スタッドアームの折り曲げ部分の上面に設けた複数のスタッドとを備えたスタッド部材と、
前記ホイールの他方の側に取り付けた支持板と、該支持板からタイヤ本体の側面に沿って立ち上げるとともに、前記スタッド部材の端部を保持する保持部材とを備えており、
常態においては前記スタッドアームをタイヤ本体の側面に沿った位置に回動し、かつスタッドアームを首振りさせてタイヤ本体の外形よりも内側に折り畳んだ状態としてあり、
雪道等において使用する際には、前記スタッドアームを首振りさせてタイヤ本体の外周上に位置するように立ち上げ、かつタイヤ本体の上面に沿った位置に回動させた上、スタッドアームの端部を保持部材の端部に連結してスタッド部材の複数のスタッドがタイヤ本体の上面を横断するように配置することを可能としたことを特徴とするものである。
【０００９】
本発明のタイヤのスパイク保持具は、前記スタッドアームをタイヤ本体の側面に沿って立ち上げて回動かつ首振り自在とする手段は、スタッドアームを軸受を介して回動可能に保持する縦軸部分と、該縦軸部分を首振り可能に支持板に保持する横軸部分とからなることをも特徴とするものである。
【００１０】
本発明のタイヤのスパイク保持具は、前記スタッド部材の端部を保持する保持部材は、該保持部材の端部に設けた挿通ピンを、前記スタッド部材の先端に設けた挿通孔にはめ込み、かつ挿通ピンと挿通孔との係合が解かれるのを防止するロック手段を設けたことをも特徴とするものである。
【００１１】
本発明のタイヤのスパイク保持具は、前記挿通ピンと挿通孔との係合が解かれるのを防止するロック手段は、前記挿通ピンと挿通孔との間に介在させた磁石からなることをも特徴とするものである。
【００１２】
本発明のタイヤのスパイク保持具は、前記スタッド部材および保持部材は、前記支持板に緩衝部材を介在させた上で連結してあることをも特徴とするものである。
【００１３】
本発明のタイヤのスパイク保持具は、前記常態においてタイヤ本体の側面に沿った位置に回動し、かつ首振りさせてタイヤ本体の外形よりも内側に折り畳んだ状態としたスタッドアームは、前記ホイールに設けたリング状ハンガーに取り付けた係合ピンに前記スタッド部材の先端に設けた挿通孔をはめ込んで係止するようにしたことをも特徴とするものである。
【発明の効果】
【００１４】
請求項１のタイヤのスパイク保持具は、常態においては前記スタッドアームをタイヤ本体の側面に沿った位置に回動し、かつスタッドアームを首振りさせてタイヤ本体の外形よりも内側に折り畳んだ状態としてあり、
雪道等において使用する際には、前記スタッドアームを首振りさせてタイヤ本体の外周上に位置するように立ち上げ、かつタイヤ本体の上面に沿った位置に回動させた上、スタッドアームの端部を保持部材の端部に連結してスタッド部材の複数のスタッドがタイヤ本体の上面を横断するように配置することを可能としたものである。
したがって、急に雪道や凍結した道路に遭遇した際、手間のかかるチェーンの装着等の作業を行うことなく、簡易かつ迅速にタイヤ本体の上面に手動もしくは電動でスタッド部材を配設することができ、また雪道や凍結した道路から解放された後はあまり手間をかけないで、前記スタッドアームをタイヤ本体の側面に沿った位置に回動し、かつスタッドアームを首振りさせてタイヤ本体の外形よりも内側に折り畳んだ収納状態とすることができるので非常に有用である。
このようにすれば、アイスバーン、都会の雪道、豪雪地の雪道、新雪の積もった道路等各種の雪道等に迅速に対応することができる。
【００１５】
請求項２のタイヤのスパイク保持具は、前記スタッドアームをタイヤ本体の側面に沿って立ち上げて回動かつ首振り自在とする手段として、スタッドアームを軸受を介して回動可能に保持する縦軸部分と、該縦軸部分を首振り可能に支持板に保持する横軸部分とで構成したものである。
したがって、前記スタッドアームをタイヤ本体の側面に沿って立ち上げて回動かつ首振り自在とする機構をコンパクトな構造とすることができる。
【００１６】
請求項３および４のタイヤのスパイク保持具は、前記スタッド部材の端部を保持する保持部材は、該保持部材の端部に設けた挿通ピンを、前記スタッド部材の先端に設けた挿通孔にはめ込み、かつ挿通ピンと挿通孔との係合が解かれるのを防止する磁石等からなるロック手段を設けたものである。
したがって、前記スタッド部材を保持部材にワンタッチで連結することが可能となり、また確実にその離脱を防止することができる。
【００１７】
請求項５のタイヤのスパイク保持具は、前記スタッド部材および保持部材は、前記支持板に緩衝部材を介在させた上で連結した構造である。
したがって、タイヤ本体の空気圧の変動や車体にかかる衝撃等によってスタッドアームの上面に設けた複数のスタッドの位置の変化にも柔軟に対応することができる。
【００１８】
請求項６のタイヤのスパイク保持具は、前記常態においてタイヤ本体の側面折り畳んだ状態としたスタッドアームが、前記ホイールに設けたリング状ハンガーに取り付けた係合ピンに前記スタッド部材の先端に設けた挿通孔をはめ込んで係止する構造である。
したがって、前記スタッドアームを係合ピンにワンタッチで連結することが可能となり、また確実にその離脱を防止することができる。
【図面の簡単な説明】
【００１９】
【図１】本発明のタイヤのスパイク保持具の１実施例を示し、スタッド部材を折り畳んだ状態の概略斜視図である。
【図２】スタッド部材を立ち上げた状態の概略斜視図である。
【図３】スタッド部材と保持部材とを連結した状態の概略斜視図である。
【図４】タイヤの正面図である。
【図５】タイヤの背面図である。
【図６】タイヤの概略断面図である。
【図７】スタッド部材を折り畳もうとする段階の概略断面図である。
【図８】スタッド部材をタイヤ本体の外形よりも内側に折り畳んだ状態の正面図である。
【図９】保持部材にショックアブソーバを内蔵させた状態を示す要部拡大図である。
【図１０】（ａ）はスタッド部材を折り畳み、ホイールに取り付けたハンガーに係止させた状態の概略正面図、（ｂ）はその概略側面図である。
【図１１】スタッドアームをタイヤ本体の側面に沿って立ち上げて回動かつ首振り自在とする手段の別の例を示す概略斜視図である。
【発明を実施するための形態】
【００２０】
以下、本発明のタイヤのスパイク保持具の実施の形態を図面に基いて詳細に説明する。
図１ないし図３に示す本実施例のタイヤのスパイク保持具１０は、タイヤのホイール１２にタイヤ本体１３を装着したタイヤ１１において、前記ホイール１２の一方の側に取り付けた支持板２１と、該支持板２１からタイヤ本体１３の側面に沿って回動かつ首振り自在に立ち上げ、上端をタイヤ本体１３の上面に沿って折り曲げたスタッドアーム２３と、該スタッドアーム２３の折り曲げ部分２３ａの上面に設けた複数のスタッド２４とを備えたスタッド部材２２を備えている。
また、前記ホイール１２の他方の側に取り付けた支持板２７と、該支持板２７からタイヤ本体１３の側面に沿って立ち上げるとともに、前記スタッド部材２２の端部を保持する保持部材２６とも備えている。
【００２１】
本実施例のタイヤのスパイク保持具において、前記スタッドアーム２３をタイヤ本体１３の側面に沿って立ち上げて回動かつ首振り自在とする手段は、スタッドアーム２３を軸受３２を介して回動可能に保持する縦軸部分３１と、該縦軸部分３１を首振り可能に前記支持板２１に保持する横軸部分３３とで構成されている。
したがって、図１の前記縦軸部分３１でスタッドアーム２３を首振りさせることにより、スタッド部材２２をタイヤ本体１３の側面に沿って折り畳んだ状態から、図２のようにスタッド部材２２をタイヤ本体１３の側面に沿って立ち上げることができる。
次いで、スタッドアーム２３を軸受３２を介して軸方向に回動させれば、図３のようにスタッドアーム２３の折り曲げ部分２３ａがタイヤ本体１３の上面に沿って配置された状態となる。
図３においてスタッド部材２２は、スタッドアーム２３の折り曲げ部分２３ａの上面に設けた複数のスタッド２４がタイヤ本体１３の上面に位置しているため、該スタッド２４はタイヤの滑り止めとして有効に機能するようになるのである。
【００２２】
このように、図１に示す常態においては前記スタッドアーム２３をタイヤ本体１３の側面に沿った位置に回動させておき、かつスタッドアーム２３を横軸部分３３において首振りさせてタイヤ本体１３の外形よりも内側に折り畳んだ状態としてある。
また、図３に示す雪道等において使用する際には、前記スタッドアーム２３を横軸部分３３において首振りさせてタイヤ本体１３の外周上に位置するように立ち上げ、かつタイヤ本体１３の上面に沿った位置に回動させた上、スタッドアーム２３の端部を保持部材２６の端部に連結してスタッド部材２２の複数のスタッド２４がタイヤ本体１３の上面を横断するように配置されるようになっている。
【００２３】
図４および図５は、それぞれスタッド部材２２と保持部材２６とを連結した状態のタイヤの正面図と背面図である。また図６はスタッド部材２２と保持部材２６とを連結した状態のタイヤの概略断面図であり、図７はスタッドアーム２３を縦軸部分３１において回動させ、かつスタッドアーム２３を横軸部分３３において首振りさせてタイヤ本体１３の外形よりも内側に折り畳んだ状態のタイヤの概略断面図である。
図８は、スタッド部材２２をタイヤ本体１３の外形よりも内側に折り畳んだ状態の正面図である。
【００２４】
本実施例のタイヤのスパイク保持具において、前記スタッド部材２２の端部を保持する保持部材２６は、図１ないし図３、図９に示すように該保持部材２６の端部に設けた挿通ピン２６ａを、前記スタッド部材２２の先端に設けた挿通孔２２ａにはめ込み、かつ挿通ピン２６ａと挿通孔２２ａとの係合が解かれるのを防止するロック手段を設けられている。
本実施例において挿通ピン２６ａと挿通孔２２ａとの係合が解かれるのを防止するロック手段は図９に示すように磁石２８等からなっており、したがって前記スタッド部材２２を保持部材２６にワンタッチで連結することが可能となり、また確実にその離脱を防止することができる。
【００２５】
さらに図９は本発明のタイヤのスパイク保持具の他の例を示すものであり、本例において前記スタッド部材２２および保持部材２６は、前記支持板２１，２７に緩衝部材２９を介在させた上で連結させてある。図９において緩衝部材２９は、保持部材２６の支柱部分２６ｂに内蔵したコイルバネ２６ｃからなるものである。もちろん、コイルバネ２６ｃに代わる緩衝部材であってもよい。
【００２６】
本発明のタイヤのスパイク保持具においては、前記常態においてタイヤ本体１３の側面に沿った位置に回動し、かつ首振りさせてタイヤ本体１３の外形よりも内側に折り畳んだ状態としたスタッドアーム２３は、図１０（ａ）、（ｂ）のようにして不使用時の遊動を防止されるようになっている。
すなわち、前記ホイール１２に設けたリング状ハンガー４１に取り付けた係合ピン４２に前記スタッド部材２２の先端に設けた挿通孔４３をはめ込んで係止するようにしたのである。もちろん、当該部分の係合も磁石４４によって確実にその離脱を防止するのが望ましい。
【００２７】
図１１は、前記スタッドアームをタイヤ本体の側面に沿って立ち上げて回動かつ首振り自在とする手段として、いわゆる市販のロボットアームを利用することができる。
そのようなロボットアームとしては、例えば株式会社イーケイジャパンのロボットアーム  ＭＲ−９９９，ＭＲ−９９９Ｋ等に利用されている関節やその制御システムが採用可能である。
図１１においては、ホイール１２に固定した支持板５１にロボットアーム（構造の詳細は省略）５２を介してスタッドアーム５３を取り付けた構造となっている。
【産業上の利用可能性】
【００２８】
以上詳述した本発明のタイヤのスパイク保持具によれば、スタッド部材のタイヤ上面への装着やタイヤ側面に沿った収納により、雪道等に対応可能なスパイクタイヤとしてまたは通常の道路に対応可能なノーマルタイヤとしての機能を発揮するタイヤを提供することができる。
【００２９】
さらに、本発明によれば、通常のタイヤに取り付けてスパイクタイヤとして機能させ、また、通常のタイヤによる走行に支障を生じさせないタイヤのスパイク保持具を提供することができる。さらに、スタッドピンのトレッド表面からの突出状態を調整することで、各種の雪道に適確に対応できるタイヤを提供することができる。
【符号の説明】
【００３０】
１０  タイヤのスパイク保持具
１１  タイヤ
１２  ホイール
１３  タイヤ本体
２１  支持板
２２  スタッド部材
２２ａ  挿通孔
２３  スタッドアーム
２３ａ  折り曲げ部分
２４  スタッド
２６  保持部材
２６ａ  挿通ピン
２６ｂ  支柱部分
２６ｃ  コイルバネ
２７  支持板
２８  磁石
２９  緩衝部材
３１  縦軸部分
３２  軸受
３３  横軸部分
４１  リング状ハンガー
４２  係合ピン
４３  挿通孔
４４  磁石
５１  支持板
５２  ロボットアーム
５３  スタッドアーム
【要約】
【課題】
通常のノーマルタイヤに装着され、必要に応じてスパイクタイヤとしての機能を発揮させることができるタイヤのスパイク保持具の提供。
【解決手段】
ホイールにタイヤ本体を装着したタイヤにおいて、
前記ホイールの両側にスタッド部材と該スタッド部材の端部を保持する保持部材とを備えており、
常態においては前記スタッドアームをタイヤ本体の側面に沿った位置に回動し、かつスタッドアームを首振りさせてタイヤ本体の外形よりも内側に折り畳んだ状態としてあり、
雪道等において使用する際には、前記スタッドアームを首振りさせてタイヤ本体の外周上に位置するように立ち上げ、かつタイヤ本体の上面に沿った位置に回動させた上、スタッドアームの端部を保持部材の端部に連結してスタッド部材の複数のスタッドがタイヤ本体の上面を横断するように配置することを可能としたことを特徴とするタイヤのスパイク保持具。
【選択図】図２【図１】
0005774798.tif 000002
【図２】
0005774798.tif 000003
【図３】
0005774798.tif 000004
【図４】
0005774798.tif 000005
【図５】
0005774798.tif 000006
【図６】
0005774798.tif 000007
【図７】
0005774798.tif 000008
【図８】
0005774798.tif 000009
【図９】
0005774798.tif 000010
【図１０】
0005774798.tif 000011
【図１１】
0005774798.tif 000012